(57)【要約】      （修正有）【課題】複数人のユーザーのタッチ操作を同時に検出でき、且つ１人操作モード時のタッチ操作の検出精度を高めることが可能な操作入力装置、画像形成装置及び操作入力方法を提供する。【解決手段】画像形成装置１において、操作表示部１１のタッチパネルは、操作表示部１１の表示部上に設けられており、２点のタッチ位置を検出可能である。操作モード制御部１７２は、ユーザー操作に応じて１人操作モードと複数人同時操作モードとの間で操作モードを切り替える。入力位置検出部１７３は、１人操作モードのときには２点のタッチ位置に応じて第１入力位置を検出し、複数人同時操作モードのときには２点のタッチ位置を第１入力位置及び第２入力位置として検出する。【選択図】図２
2017207794.tif 000002
【特許請求の範囲】
【請求項１】
表示部と、
前記表示部上に設けられた複数点のタッチ位置を検出可能なタッチパネルと、
ユーザー操作に応じて１人操作モードと複数人同時操作モードとの間で操作モードを切り替える操作モード制御部と、
前記１人操作モードのときには前記複数点のタッチ位置に応じて１点の入力位置を検出し、前記複数人同時操作モードのときには前記複数点のタッチ位置を複数点の入力位置として検出する入力位置検出部と、
を備える操作入力装置。
【請求項２】
前記入力位置検出部は、前記１人操作モードのときには前記複数点のタッチ位置の重心位置を１点の入力位置として検出する、
請求項１に記載の操作入力装置。
【請求項３】
前記１人操作モードのときには前記表示部に１人用操作画面を表示し、前記複数人同時操作モードのときには前記表示部に複数人用操作画面を表示する表示制御部を更に備える、
請求項１又は請求項２に記載の操作入力装置。
【請求項４】
前記複数人用操作画面には、複数の個別操作画面が含まれる、
請求項３に記載の操作入力装置。
【請求項５】
前記表示制御部は、前記複数の個別操作画面を、ユーザー操作に応じて個別にスクロール可能に表示する、
請求項４に記載の操作入力装置。
【請求項６】
前記表示制御部は、前記複数の個別操作画面の各々に、スクロールバーを表示する、
請求項５に記載の操作入力装置。
【請求項７】
前記表示制御部は、前記１人操作モードのときには前記表示部にソフトキーを第１サイズで表示し、前記複数人同時操作モードのときには前記表示部に前記ソフトキーを前記第１サイズよりも大きい第２サイズで表示する、
請求項３〜６のいずれかに記載の操作入力装置。
【請求項８】
前記１人操作モードのときには前記入力位置検出部によって検出される前記１点の入力位置に基づいて第１処理を実行し、前記１人操作モードから前記複数人同時操作モードに切り替わったときには前記入力位置検出部によって検出される前記複数点の入力位置のうちのいずれか１つの入力位置に基づいて前記第１処理を継続して実行するとともに残りの入力位置に基づいて前記第１処理とは独立した第２処理を実行する処理実行部を更に備える、
請求項１〜７のいずれかに記載の操作入力装置。
【請求項９】
請求項１〜８のいずれかに記載の操作入力装置と、
前記入力位置検出部によって検出される前記入力位置に基づいてシート上に画像を形成する画像形成部と、
を備える画像形成装置。
【請求項１０】
ユーザー操作に応じて１人操作モードと複数人同時操作モードとの間で操作モードを切り替える操作モード制御ステップと、
前記１人操作モードのときにはタッチパネルによって検出される複数点のタッチ位置に応じて１点の入力位置を検出し、前記複数人同時操作モードのときには前記複数点のタッチ位置を複数点の入力位置として検出する入力位置検出ステップと、
を備える操作入力方法。
【発明の詳細な説明】
【技術分野】
【０００１】
本発明は、タッチパネルに対するユーザーの操作を検出する操作入力装置、画像形成装置及び操作入力方法に関する。
【背景技術】
【０００２】
一般に、画像形成装置には、タッチパネルを備えた操作表示部が設けられており、当該タッチパネルに対するユーザーの操作に基づいて、印刷条件の設定などが行われる。
【０００３】
一方、複数のユーザーによる同時操作に対応するために、大型の操作表示部における単一の画面を分割して各ユーザーに割り当て、その分割画面毎に各ユーザーの操作を受け付けるようにした複合機が知られている（例えば、特許文献１参照）。この場合、操作表示部には、複数点のタッチ位置を検出可能なタッチパネルを設ける必要がある。
【先行技術文献】
【特許文献】
【０００４】
【特許文献１】特開２０１０−２６２４５４号公報
【発明の概要】
【発明が解決しようとする課題】
【０００５】
しかしながら、一般に、複合機は、複数のユーザーによって同時に操作されることは稀であり、１人のユーザーによって操作されることがほとんどである。よって、上記複合機では、複数点のタッチ位置を検出可能なタッチパネルの性能が十分に活かされていない。
【０００６】
本発明の目的は、複数人のユーザーのタッチ操作を同時に検出でき、且つ１人操作モード時のタッチ操作の検出精度を高めることが可能な操作入力装置、画像形成装置及び操作入力方法を提供することにある。
【課題を解決するための手段】
【０００７】
本発明の一の局面に係る操作入力装置は、表示部と、タッチパネルと、操作モード制御部と、入力位置検出部と、を備える。前記タッチパネルは、前記表示部上に設けられており、複数点のタッチ位置を検出可能である。前記操作モード制御部は、ユーザー操作に応じて１人操作モードと複数人同時操作モードとの間で操作モードを切り替える。前記入力位置検出部は、前記１人操作モードのときには前記複数点のタッチ位置に応じて１点の入力位置を検出し、前記複数人同時操作モードのときには前記複数点のタッチ位置を複数点の入力位置として検出する。
【０００８】
本発明の他の局面に係る画像形成装置は、前記操作入力装置と、画像形成部と、を備える。前記画像形成部は、前記入力位置検出部によって検出される前記入力位置に基づいてシート上に画像を形成する。
【０００９】
本発明の他の局面に係る操作入力方法は、操作モード制御ステップと、入力位置検出ステップと、を備える。前記操作モード制御ステップでは、ユーザー操作に応じて１人操作モードと複数人同時操作モードとの間で操作モードが切り替えられる。前記入力位置検出ステップでは、前記１人操作モードのときにはタッチパネルによって検出される複数点のタッチ位置に応じて１点の入力位置が検出され、前記複数人同時操作モードのときには前記複数点のタッチ位置が複数点の入力位置として検出される。
【発明の効果】
【００１０】
本発明によれば、複数人のユーザーのタッチ操作を同時に検出でき、且つ１人操作モード時のタッチ操作の検出精度を高めることが可能な操作入力装置、画像形成装置及び操作入力方法が提供される。
【図面の簡単な説明】
【００１１】
【図１】図１は、本発明の実施形態に係る画像形成装置の外観を示す図である。
【図２】図２は、本発明の実施形態に係る画像形成装置のシステム構成を示すブロック図である。
【図３】図３は、本発明の実施形態に係る画像形成装置で用いられる１人用操作画面の一例を示す図である。
【図４】図４は、本発明の実施形態に係る画像形成装置で用いられる２人用操作画面の一例を示す図である。
【図５】図５は、本発明の実施形態に係る画像形成装置において１人操作モード時に検出される第１入力位置の一例を示す図である。
【図６】図６は、本発明の実施形態に係る画像形成装置において２人同時操作モード時に検出される第１入力位置及び第２入力位置の一例を示す図である。
【図７】図７は、本発明の実施形態に係る画像形成装置で用いられる２人用操作画面の変形例を示す図である。
【図８】図８は、本発明の実施形態に係る画像形成装置で実行される操作画面切替処理の手順の一例を示すフローチャートである。
【図９】図９は、本発明の実施形態に係る画像形成装置で実行されるタッチ入力処理の手順の一例を示すフローチャートである。
【図１０】図１０は、本発明の他の実施形態に係る画像形成装置で用いられる３人用操作画面の一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定する性格のものではない。
【００１３】
図１及び図２に示されるように、本発明の実施形態に係る画像形成装置１は、操作表示部１１、ＡＤＦ１２、画像読取部１３、画像形成部１４、通信Ｉ／Ｆ１５、記憶部１６、及び制御部１７などを備える。具体的に、画像形成装置１は、プリンター機能、スキャナー機能、コピー機能、及びファクシミリ機能などを有する複合機である。なお、本発明は、複合機に限らず、コピー機、プリンター、ファクシミリ装置のように、シート上に原稿の画像を形成することが可能な任意の画像形成装置に適用可能である。
【００１４】
操作表示部１１は、情報を表示する液晶ディスプレーなどの表示部と、ユーザー操作を受け付けるタッチパネル及び操作ボタンなどの操作部とを備える。前記タッチパネルは、前記表示部の表示面上に設けられており、複数点のタッチ位置を検出可能である。なお、以下では、前記タッチパネルが２点のタッチ位置を検出するものとして説明する。
【００１５】
ＡＤＦ１２は、原稿セット部、搬送ローラー、原稿押さえ、及び排紙部を備え、画像読取部１３の読み取り対象となる原稿を搬送する自動原稿搬送装置である。
【００１６】
画像読取部１３は、原稿台、光源、ミラー、光学レンズ、及びＣＣＤ（Ｃｈａｒｇｅ  Ｃｏｕｐｌｅｄ  Ｄｅｖｉｃｅ）を備え、原稿の画像を読み取って画像データとして出力することが可能である。
【００１７】
画像形成部１４は、電子写真方式又はインクジェット方式で画像データに基づく印刷処理を実行することが可能であり、前記画像データに基づいてシート上に画像を形成する。例えば、画像形成部１４が電子写真方式の画像形成部である場合、画像形成部１４は感光体ドラム、帯電器、露光装置、現像装置、転写装置、及び定着装置などを備える。画像形成部１４は、前記タッチパネルに対するユーザー操作に応じて後述する入力位置検出部１７３によって検出される入力位置に基づいて、シート上に画像を形成することができる。
【００１８】
通信Ｉ／Ｆ１５は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１９】
記憶部１６は、ハードディスク又はＥＥＰＲＯＭ（登録商標）などの不揮発性の記憶部である。記憶部１６には、制御部１７によって実行される後述するメモ領域付きコピー処理などを実行するための各種の制御プログラム、及び後述するメモ領域画像などが記憶される。
【００２０】
制御部１７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２１】
具体的に、制御部１７は、表示制御部１７１、操作モード制御部１７２、入力位置検出部１７３、及び処理実行部１７４を含む。なお、制御部１７は、前記制御プログラムに従って各種の処理を実行することによりこれらの各処理部として機能する。また、制御部１７は、これらの各処理部の一部又は複数の処理機能を実現する電子回路を備えるものであってもよい。
【００２２】
表示制御部１７１は、操作表示部１１の表示部に各種画面を表示する。例えば、表示制御部１７１は、後述する１人操作モードのときには前記表示部に図３に示すような１人用操作画面２０を表示し、後述する２人同時操作モードのときには前記表示部に図４に示すような２人用操作画面２１を表示する。なお、２人用操作画面２１は、本発明の複数人用操作画面の一例である。
【００２３】
操作モード制御部１７２は、操作表示部１１のタッチパネルがユーザーによって操作されるときの操作モードを、１人操作モードと２人同時操作モードとの間で切り替える。前記１人操作モードは、１人のユーザーだけが前記タッチパネルを操作することができる操作モードである。前記２人同時操作モードは、２人のユーザーが前記タッチパネルを同時に操作することができる操作モードである。操作モード制御部１７２による操作モードの切り替えは、ユーザー操作に応じて行われる。例えば、操作表示部１１に設けられている特定のハードキー（又はソフトキー）がユーザーによって押下されたことに応じて、操作モード制御部１７２は、前記１人操作モードと前記２人同時操作モードとの間で操作モードを切り替える。なお、前記２人同時操作モードは、本発明の複数人同時操作モードの一例である。
【００２４】
入力位置検出部１７３は、操作表示部１１のタッチパネルによって検出される複数点のタッチ位置に基づいて、ユーザーによって入力された前記タッチパネル上の位置を示す入力位置を検出する。具体的には、入力位置検出部１７３は、前記１人操作モードのときには、前記タッチパネルによって検出される２点のタッチ位置に応じて１点の入力位置を検出する。また、入力位置検出部１７３は、前記２人同時操作モードのときには、前記タッチパネルによって検出される２点のタッチ位置を２点の入力位置として検出する。操作表示部１１、操作モード制御部１７２及び入力位置検出部１７３の組み合わせが、本発明の操作入力装置の一例である。なお、本発明は、画像形成装置１に限らず、表示部上に設けられた複数点のタッチ位置を検出可能なタッチパネルを備える任意の操作入力装置にも適用可能である。
【００２５】
処理実行部１７４は、入力位置検出部１７３によって検出される入力位置に基づいて、コピー関連処理、送信関連処理などの各種処理を実行する。具体的には、処理実行部１７４は、前記１人操作モードのときには、入力位置検出部１７３によって検出される前記１点の入力位置に基づいて第１処理（例えば、第１ユーザー用の各種処理）を実行する。また、処理実行部１７４は、前記１人操作モードから前記複数人同時操作モードに切り替わったときには、入力位置検出部１７３によって検出される前記２点の入力位置のうちの一方の入力位置に基づいて前記第１処理を継続して実行するとともに、他方の入力位置に基づいて前記第１処理とは独立した第２処理（例えば、第２ユーザー用の各種処理）を実行する。
【００２６】
次に、図３〜図８を参照しつつ、画像形成装置１の動作について説明する。
【００２７】
前記１人操作モードのときには、表示制御部１７１によって、図３に示すような１人用操作画面２０が操作表示部１１の表示部に表示される。図３に示す例では、コピー機能を使用するための画面が１人用操作画面２０として表示されている。前述したように、前記１人操作モードは、１人のユーザーだけが操作表示部１１のタッチパネルを操作することができる操作モードである。ユーザー（以下、第１ユーザーと称す）は、１人用操作画面２０に含まれる各種ソフトキーＫ１〜Ｋ６を押下することによって、コピー条件の設定、コピーの開始、メニュー画面へのリターンなどの各種指示を入力することができる。
【００２８】
前記第１ユーザーがコピー条件の設定等を行っている途中で、別のユーザー（以下、第２ユーザーと称す）が画像形成装置１を使用したい場合、第１ユーザー又は第２ユーザーは、例えば、操作表示部１１に設けられている特定のハードキー（又はソフトキー）を押下する。すると、操作モード制御部１７２は、前記１人操作モードから前記２人同時操作モードに操作モードを切り替える。
【００２９】
操作モードが前記２人同時操作モードに切り替わると、操作表示部１１の表示部に表示される画面が、図３に示す１人用操作画面２０から、図４に示すような２人用操作画面２１に切り替わる。２人用操作画面２１には、前記第１ユーザー用の第１個別操作画面２１ａと、前記第２ユーザー用の第２個別操作画面２１ｂとが含まれている。
【００３０】
図４において、第１個別操作画面２１ａには、操作モードが切り替わる直前に表示されていた図３に示す１人用操作画面２０の一部が表示されている。前記第１ユーザーは、第１個別操作画面２１ａを使用して、コピー条件の設定等を継続することができる。また、第２個別操作画面２１ｂには、画像形成装置１の各種機能を選択するためのメニュー画面が表示されている。前記第２ユーザーは、第２個別操作画面２１ｂを使用して、コピー機能、送信機能、読取機能などの中から所望の機能を選択して使用することができる。
【００３１】
なお、図４に示す第１個別操作画面２１ａは、図３に示す１人用操作画面２０と比べて表示面積が小さくなっている。したがって、１人用操作画面２０に含まれている全ての情報を第１個別操作画面２１ａに表示するには画面を縮小する必要がある。しかしながら、画面を縮小するとタッチ操作が困難になる。そこで、本実施形態では、表示制御部１７１は、第１個別操作画面２１ａ及び第２個別操作画面２１ｂを、ユーザー操作に応じて個別にスクロール可能に表示する。例えば、表示制御部１７１は、第１個別操作画面２１ａ及び第２個別操作画面２１ｂの各々に、図４に示すようなスクロールバー３０を表示する。そして、表示制御部１７１は、第１個別操作画面２１ａのスクロールバー３０のスライダに対するドラッグ操作に応じて第１個別操作画面２１ａをスクロールさせるとともに、第２個別操作画面２１ｂのスクロールバー３０のスライダに対するドラッグ操作に応じて第２個別操作画面２１ｂをスクロールさせる。これにより、操作画面が小さくなっても、タッチ操作の操作性を維持することができる。
【００３２】
ところで、複数のユーザーによる同時操作に対応するために、大型の操作表示部における単一の画面を分割して各ユーザーに割り当て、その分割画面毎に各ユーザーの操作を受け付けるようにした複合機が知られている。この場合、操作表示部には、複数点のタッチ位置を検出可能なタッチパネルを設ける必要がある。しかしながら、一般に、複合機は、複数のユーザーによって同時に操作されることは稀であり、１人のユーザーによって操作されることがほとんどである。よって、上記複合機では、複数点のタッチ位置を検出可能なタッチパネルの性能が十分に活かされていない。
【００３３】
これに対して、本実施形態に係る画像形成装置１では、以下で説明するように、入力位置検出部１７３における入力位置の検出方法が、前記１人操作モードと前記２人同時操作モードとで異なる。よって、２人のユーザーのタッチ操作を同時に検出でき、且つ１人操作モード時のタッチ操作の検出精度を高めることが可能である。
【００３４】
具体的には、入力位置検出部１７３は、前記１人操作モードのときには、操作表示部１１のタッチパネルによって検出される複数点のタッチ位置の重心位置を、１点の入力位置として検出する。例えば、前記１人操作モードのときに、図５に示すように、前記タッチパネルによって第１タッチ位置Ｐａと第２タッチ位置Ｐｂが検出された場合、入力位置検出部１７３は、第１タッチ位置Ｐａ及び第２タッチ位置Ｐｂの重心位置（すなわち、中点）を、第１入力位置Ｐ１として検出する。こうして検出された第１入力位置Ｐ１は、処理実行部１７４によって、第１ユーザーの入力位置として扱われる。
【００３５】
このように、前記１人操作モードのときは、前記タッチパネルによって検出される複数点のタッチ位置の重心位置が、第１入力位置Ｐ１（前記第１ユーザーの入力位置）として検出される。よって、例えば、前記第１ユーザーが前記タッチパネルにタッチした際に、指先の形状又は指先のブレなどに起因して前記タッチパネルによって複数のタッチ位置が検出されてしまった場合に、第１ユーザーの入力位置を高精度で検出することができる。
【００３６】
なお、前記１人操作モードにおいて入力位置検出部１７３によって検出される第１入力位置Ｐ１は、前記タッチパネルによって検出される複数点のタッチ位置の重心位置に限らない。例えば、第１タッチ位置Ｐａ及び第２タッチ位置Ｐｂのいずれか一方のみがソフトキー上に位置している場合に、入力位置検出部１７３は、第１タッチ位置Ｐａ及び第２タッチ位置Ｐｂのうちのソフトキー上に位置している方のタッチ位置を、第１入力位置Ｐ１として検出してもよい。
【００３７】
一方、入力位置検出部１７３は、前記２人同時操作モードのときには、操作表示部１１のタッチパネルによって検出される２点のタッチ位置を、２点の入力位置として検出する。例えば、前記２人同時操作モードのときに、前記タッチパネルによって第１タッチ位置Ｐａと第２タッチ位置Ｐｂが検出された場合、入力位置検出部１７３は、図６に示すように、第１タッチ位置Ｐａ及び第２タッチ位置Ｐｂのうちの第１個別操作画面２１ａ内に位置しているタッチ位置（図６に示す例では第１タッチ位置Ｐａ）を、第１入力位置Ｐ１として検出し、第１タッチ位置Ｐａ及び第２タッチ位置Ｐｂのうちの第２個別操作画面２１ｂ内に位置しているタッチ位置（図６に示す例では第２タッチ位置Ｐｂ）を、第２入力位置Ｐ２として検出する。こうして検出された第１入力位置Ｐ１は、処理実行部１７４によって、第１ユーザーの入力位置として扱われる。また、こうして検出された第２入力位置Ｐ２は、処理実行部１７４によって、第２ユーザーの入力位置として扱われる。
【００３８】
このように、前記２人同時操作モードのときは、前記タッチパネルによって検出される複数点のタッチ位置が、ユーザー毎の入力位置として検出される。よって、第１ユーザー及び第２ユーザーのタッチ操作を同時に検出することができる。
【００３９】
なお、上記のように、前記１人操作モードでは、前記タッチパネルによって検出される複数点のタッチ位置の重心位置が第１入力位置Ｐ１として検出されるので、前記２人同時操作モードよりも入力位置を高精度で検出することができる。逆に言えば、前記２人同時操作モードでは、前記１人操作モードよりも入力位置の検出精度が低下するおそれがある。そこで、前記１人操作モードと前記２人同時操作モードとの間の入力位置の検出精度の差を小さくするために、例えば、表示制御部１７１は、前記１人操作モードのときには操作表示部１１の表示部にソフトキーを第１サイズで表示し、前記２人同時操作モードのときには前記表示部にソフトキーを前記第１サイズよりも大きい第２サイズで表示するようにしてもよい。これにより、例えば、図７に示すように、２人用操作画面２１に表示されるソフトキーＫ１〜Ｋ３の大きさが、図３に示す１人用操作画面２０に表示されるソフトキーＫ１〜Ｋ３の大きさよりも大きくなるため、前記２人同時操作モード時の操作性を、前記１人操作モード時の操作性に近づけることができる。
【００４０】
次に、図８を参照しつつ、制御部１７によって実行される操作画面切替処理の手順の一例について説明する。ここで、ステップＳ１，Ｓ２，・・・は、制御部１７により実行される処理手順（ステップ）の番号を表している。なお、前記操作画面切替処理は、例えば、画像形成装置１の電源がオンされたことに応じて開始され、その後、画像形成装置１の電源がオフされたことに応じて終了される。なお、画像形成装置１の電源がオンされた直後の操作モードは、１人操作モードとなる。
【００４１】
＜ステップＳ１＞
まず、ステップＳ１において、制御部１７は、操作表示部１１の表示部に１人用操作画面２０を表示する。
【００４２】
＜ステップＳ２＞
ステップＳ２において、制御部１７は、ユーザーによる操作モード切替操作が行われたか否かを判断する。制御部１７は、例えば、操作表示部１１に設けられている、操作モード切替用の特定のハードキー（又はソフトキー）がユーザーによって押下されたときに、前記操作モード切替操作が行われたと判断する。そして、前記操作モード切替操作が行われたと判断されると（Ｓ２：Ｙｅｓ）、処理がステップＳ３に移行する。一方、前記操作モード切替操作が行われていないと判断されると（Ｓ２：Ｎｏ）、前記操作モード切替操作が行われたと判断されるまで、ステップＳ２の処理を繰り返す。
【００４３】
＜ステップＳ３＞
ステップＳ３において、制御部１７は、操作モードを前記１人操作モードから前記２人同時操作モードに切り替える。
【００４４】
＜ステップＳ４＞
ステップＳ４において、制御部１７は、操作表示部１１の表示部に２人用操作画面２１を表示する。
【００４５】
＜ステップＳ５＞
ステップＳ５において、制御部１７は、前記操作モード切替操作が行われたか否かを判断する。そして、前記操作モード切替操作が行われたと判断されると（Ｓ５：Ｙｅｓ）、処理がステップＳ６に移行する。一方、前記操作モード切替操作が行われていないと判断されると（Ｓ５：Ｎｏ）、前記操作モード切替操作が行われたと判断されるまで、ステップＳ５の処理を繰り返す。
【００４６】
＜ステップＳ６＞
ステップＳ６において、制御部１７は、操作モードを前記２人同時操作モードから前記１人操作モードに切り替える。そして、処理がステップＳ１に戻る。
【００４７】
なお、前記ステップＳ１，Ｓ４の処理は、制御部１７の表示制御部１７１によって実行される。前記ステップＳ２，Ｓ３，Ｓ５，Ｓ６の処理（操作モード制御ステップ）は、制御部１７の操作モード制御部１７２によって実行される。
【００４８】
次に、図９を参照しつつ、制御部１７によって実行されるタッチ入力処理の手順の一例について説明する。ここで、ステップＳ１１，Ｓ１２，・・・は、制御部１７により実行される処理手順（ステップ）の番号を表している。なお、前記タッチ入力処理は、例えば、画像形成装置１の電源がオンされたことに応じて開始され、その後、画像形成装置１の電源がオフされたことに応じて終了される。前記タッチ入力処理は、前記操作画面切替処理と並行して実行される。
【００４９】
＜ステップＳ１１＞
まず、ステップＳ１１において、制御部１７は、操作表示部１１のタッチパネルからの信号に基づいて、２点のタッチ位置、すなわち第１タッチ位置Ｐａ及び第２タッチ位置Ｐｂを取得する。
【００５０】
＜ステップＳ１２＞
ステップＳ１２において、制御部１７は、操作モードが前記１人操作モードであるか否かを判断する。そして、操作モードが前記１人操作モードであると判断されると（Ｓ１２：Ｙｅｓ）、処理がステップＳ１３に移行する。一方、操作モードが前記１人操作モードではない（すなわち、操作モードが前記２人同時操作モードである）と判断されると（Ｓ１２：Ｎｏ）、処理がステップＳ１５に移行する。
【００５１】
＜ステップＳ１３＞
ステップＳ１３において、制御部１７は、ステップＳ１１で取得された２点のタッチ位置から第１入力位置Ｐ１を検出する。例えば、制御部１７は、ステップＳ１１で取得された２点のタッチ位置の中点を、第１ユーザーの入力位置を示す第１入力位置Ｐ１として検出する。
【００５２】
＜ステップＳ１４＞
ステップＳ１４において、制御部１７は、ステップＳ１３で検出された第１入力位置Ｐ１に基づいて第１処理（例えば、第１ユーザー用の各種処理）を実行する。そして、処理がステップＳ１１に戻る。
【００５３】
＜ステップＳ１５＞
ステップＳ１５において、制御部１７は、ステップＳ１１で取得された２点のタッチ位置から第１入力位置Ｐ１及び第２入力位置Ｐ２を検出する。例えば、制御部１７は、ステップＳ１１で取得された第１タッチ位置Ｐａ及び第２タッチ位置Ｐｂのうちの第１個別操作画面２１ａ内に位置しているタッチ位置を、第１ユーザーの入力位置を示す第１入力位置Ｐ１として検出し、第１タッチ位置Ｐａ及び第２タッチ位置Ｐｂのうちの第２個別操作画面２１ｂ内に位置しているタッチ位置を、第２ユーザーの入力位置を示す第２入力位置Ｐ２として検出する。
【００５４】
＜ステップＳ１６＞
ステップＳ１６において、制御部１７は、ステップＳ１５で検出された第１入力位置Ｐ１に基づいて第１処理（例えば、第１ユーザー用の各種処理）を実行する。
【００５５】
＜ステップＳ１７＞
ステップＳ１７において、制御部１７は、ステップＳ１５で検出された第２入力位置Ｐ２に基づいて第２処理（例えば、第２ユーザー用の各種処理）を実行する。そして、処理がステップＳ１１に戻る。
【００５６】
この結果、２人同時操作モードでは、第１ユーザーのタッチ位置に基づく前記第１処理と、第２ユーザーのタッチ位置に基づく前記第２処理とが個別に並行して実行されることになる。よって、例えば、第１ユーザーがコピー機能に関する設定操作を行っている最中に、第２ユーザーが送信機能に関する設定操作を行うことが可能となる。なお、前記第１処理と前記第２処理とが競合する場合には、いずれか一方の処理が完了するまでの間、他方の処理を待機させてもよい。
【００５７】
なお、前記ステップＳ１１〜１３，Ｓ１５，Ｓ１６の処理（入力位置検出ステップ）は、制御部１７の入力位置検出部１７３によって実行される。また、ステップＳ１４，Ｓ１７の処理は、制御部１７の処理実行部１７４によって実行される。
【００５８】
以上のように、本実施形態に係る画像形成装置１によれば、前記１人操作モードのときには、操作表示部１１のタッチパネルによって検出される複数点のタッチ位置の重心位置が、１点の入力位置として検出され、前記２人同時操作モードのときには、操作表示部１１のタッチパネルによって検出される２点のタッチ位置が、２点の入力位置として検出される。よって、２人のユーザーのタッチ操作を同時に検出でき、且つ１人操作モード時のタッチ操作の検出精度を高めることが可能である。
【００５９】
なお、本実施形態では、２人のユーザーが同時に操作可能な場合について説明したが、本発明はこれに限定されない。例えば、前記タッチパネルによって検出されるタッチ位置が３点である場合には、図１０に示すような３人用操作画面２２が操作表示部１１の操作部に表示される３人同時操作モードが追加されてもよい。そして、１人操作モードにおいては、前記タッチパネルによって検出される３点のタッチ位置の重心位置が、第１ユーザーに対応する１点の入力位置として検出され、３人同時操作モードにおいては、前記タッチパネルによって検出される３点のタッチ位置が、第１〜第３ユーザーに対応する３点の入力位置として検出されてもよい。
【符号の説明】
【００６０】
１  画像形成装置
１１  操作表示部
１２  ＡＤＦ
１３  画像読取部
１４  画像形成部
２０  １人用操作画面
２１  ２人用操作画面
２１ａ  第１個別操作画面
２１ｂ  第２個別操作画面
２２  ３人用操作画面
３０  スクロールバー
Ｐａ  第１タッチ位置
Ｐｂ  第２タッチ位置
Ｐ１  第１入力位置
Ｐ２  第２入力位置
【図１】
2017207794.tif 000003
【図２】
2017207794.tif 000004
【図３】
2017207794.tif 000005
【図４】
2017207794.tif 000006
【図５】
2017207794.tif 000007
【図６】
2017207794.tif 000008
【図７】
2017207794.tif 000009
【図８】
2017207794.tif 000010
【図９】
2017207794.tif 000011
【図１０】
2017207794.tif 000012